(57)【要約】【課題】接点部の耐久性を向上することができる接続端子を提供する。【解決手段】タブ状の相手接続部３が挿入される箱状の電気接続部５と、この電気接続部５内に弾性変形可能に設けられた弾性片７と、この弾性片７から相手接続部３の表面に向けて突設され弾性片７の付勢力によって相手接続部３の表面に接触される接点部９とを備えた接続端子１において、相手接続部３を、電気接続部５内に弾性片７の基端側から自由端側に向けて少なくとも弾性片７の自由端まで挿入し、接点部９を、弾性片７に基端側から自由端側に沿って複数形成し、複数の接点部９の表面に、潤滑剤を塗布した。【選択図】図１
2017157415.tif 000002
【特許請求の範囲】
【請求項１】
タブ状の相手接続部が挿入される箱状の電気接続部と、この電気接続部内に弾性変形可能に設けられた弾性片と、この弾性片から前記相手接続部の表面に向けて突設され前記弾性片の付勢力によって前記相手接続部の表面に接触される接点部とを備えた接続端子であって、
前記相手接続部は、前記電気接続部内に前記弾性片の基端側から自由端側に向けて少なくとも前記弾性片の自由端まで挿入され、
前記接点部は、前記弾性片に基端側から自由端側に沿って複数形成され、
前記複数の接点部の表面には、潤滑剤が塗布されていることを特徴とする接続端子。
【請求項２】
請求項１記載の接続端子であって、
前記複数の接点部は、前記弾性片の基端側に位置する接点部が前記弾性片の自由端側に位置する接点部より前記弾性片の表面から前記相手接続部に向けた高さが高く設定されていることを特徴とする接続端子。
【発明の詳細な説明】
【技術分野】
【０００１】
本発明は、接続端子に関する。詳細には、タブ状の相手接続部が挿入される電気接続部内に弾性片が設けられ、この弾性片に相手接続部に接触する接点部が設けられた接続端子に関する。
【背景技術】
【０００２】
従来、接続端子としては、タブ状の相手接続部が挿入される箱状の電気接続部と、この電気接続部内に弾性変形可能に設けられた弾性片と、この弾性片から相手接続部の表面に向けて突設され弾性片の付勢力によって相手接続部の表面に接触される接点部とを備えたものが知られている（例えば、特許文献１参照）。
【０００３】
この接続端子では、接点部が、相手接続部の挿入方向に沿って弾性片に突設された第１の接点突起部と第２接点突起部とを有し、相手接続部が長尺である場合には第１の接点突起部が相手接続部に接触し、相手接続部が短尺である場合には第２の接点突起部が相手接続部に接触するようにされている。
【０００４】
このように接点部が相手接続部の長さに応じて接触する第１の接点突起部と第２の接点突起部とを有することにより、長さの異なる複数種の相手接続部に接点部を接触させることができ、接続端子の汎用性を向上することができる。
【先行技術文献】
【特許文献】
【０００５】
【特許文献１】特開平１１−１４４７８９号公報
【発明の概要】
【発明が解決しようとする課題】
【０００６】
ところで、上記特許文献１のような接続端子では、相手接続部を電気接続部に挿入し、相手接続部と接点部とを摺動させることにより、互いの接触面に形成された酸化膜を除去していた。
【０００７】
しかしながら、相手接続部と接点部との摺動により、表面に形成されためっきを削り母材が露出する恐れがあった。
【０００８】
このため、接点部の表面に潤滑剤を塗布して磨耗を抑制することが考えられるが、相手接続部と接点部との摺動により潤滑剤も除去されてしまうので、潤滑剤としての効果が短く、接点部の耐久性を向上することが困難であった。
【０００９】
そこで、この発明は、接点部の耐久性を向上することができる接続端子の提供を目的としている。
【課題を解決するための手段】
【００１０】
請求項１記載の発明は、タブ状の相手接続部が挿入される箱状の電気接続部と、この電気接続部内に弾性変形可能に設けられた弾性片と、この弾性片から前記相手接続部の表面に向けて突設され前記弾性片の付勢力によって前記相手接続部の表面に接触される接点部とを備えた接続端子であって、前記相手接続部は、前記電気接続部内に前記弾性片の基端側から自由端側に向けて少なくとも前記弾性片の自由端まで挿入され、前記接点部は、前記弾性片に基端側から自由端側に沿って複数形成され、前記複数の接点部の表面には、潤滑剤が塗布されていることを特徴とする。
【００１１】
この接続端子では、接点部が、弾性片に基端側から自由端側に沿って複数形成され、複数の接点部の表面に、潤滑剤が塗布されているので、相手接続部と１つの接点部との摺動により表面に塗布された潤滑剤が除去されても、潤滑剤が塗布された他の接点部と相手接続部とを接触させることができる。
【００１２】
従って、このような接続端子では、1つの接点部に塗布された潤滑剤が除去されても、潤滑剤が塗布された他の接点部と相手接続部とを接触させることができるので、潤滑剤としての効果を長く保持することができ、接点部の耐久性を向上することができる。
【００１３】
請求項２記載の発明は、請求項１記載の接続端子であって、前記複数の接点部は、前記弾性片の基端側に位置する接点部が前記弾性片の自由端側に位置する接点部より前記弾性片の表面から前記相手接続部に向けた高さが高く設定されていることを特徴とする。
【００１４】
この接続端子では、複数の接点部が、弾性片の基端側に位置する接点部が弾性片の自由端側に位置する接点部より弾性片の表面から相手接続部に向けた高さが高く設定されているので、弾性片の基端側に位置する接点部から、順次、相手接続部と摺動させることができ、複数の接点部の表面に塗布された潤滑剤を効率よく使用することができる。
【発明の効果】
【００１５】
本発明によれば、接点部の耐久性を向上することができる接続端子を提供することができるという効果を奏する。
【図面の簡単な説明】
【００１６】
【図１】本発明の実施の形態に係る接続端子の断面図である。
【図２】図１の要部拡大図である。
【発明を実施するための形態】
【００１７】
図１，図２を用いて本発明の実施の形態に係る接続端子について説明する。
【００１８】
本実施の形態に係る接続端子１は、タブ状の相手接続部３が挿入される箱状の電気接続部５と、この電気接続部５内に弾性変形可能に設けられた弾性片７と、この弾性片７から相手接続部３の表面に向けて突設され弾性片７の付勢力によって相手接続部３の表面に接触される接点部９とを備えている。
【００１９】
また、相手接続部３は、電気接続部５内に弾性片７の基端側から自由端側に向けて少なくとも弾性片７の自由端まで挿入される。
【００２０】
そして、接点部９は、弾性片７に基端側から自由端側に沿って複数形成され、複数の接点部９の表面には、潤滑剤が塗布されている。
【００２１】
また、複数の接点部９は、弾性片７の基端側に位置する接点部９が弾性片７の自由端側に位置する接点部９より弾性片７の表面から相手接続部３に向けた高さが高く設定されている。
【００２２】
図１，図２に示すように、相手接続部３は、導電性材料からなる相手接続端子１１の一側にタブ状に形成されており、このタブ状の相手接続部３を有する相手接続端子１１は雄型端子となっている。
【００２３】
この相手接続端子１１は、表面にめっきが施され、相手接続部３と反対側が電源や機器などに電気的に接続され、相手接続部３が接続端子１の箱状の電気接続部５内に挿入され、相手接続部３が電気接続部５内の接点部９に接触することにより、相手接続端子１１と接続端子１とが電気的に接続される。
【００２４】
接続端子１は、導電性材料からなり、表面にめっきが施され、一側に箱状の電気接続部５を有する雌型端子からなる。
【００２５】
電気接続部５は、平板状の導電性材料を折り曲げ加工することにより、箱状に形成され、内部に弾性変形可能な弾性片７が設けられている。
【００２６】
弾性片７は、基端側となる電気接続部５の底壁の端部を上壁側に向けて折り曲げ、自由端側となる中間部分を内部に向けて折り曲げることにより、電気接続部５内で上下方向に弾性変形可能に設けられ、自由端側に電気接続部５の上壁側に向けて断面半円状に接点部９が突設されている。
【００２７】
この弾性片７が設けられた接続端子１は、電気接続部５と反対側が電源や機器などに電気的に接続され、相手接続端子１１の相手接続部３が、箱状の電気接続部５の開口から挿入され、弾性片７の基端側から自由端側に向けて挿入される。
【００２８】
この電気接続部５内に挿入された相手接続部３は、弾性片７を押し下げるように接点部９と摺動しながら挿入され、弾性片７の自由端を超えるように電気接続部５内に完全に挿入されると、弾性片７の復元しようとする付勢力によって接点部９と接触し、相手接続端子１１と接続端子１とが電気的に接続される。
【００２９】
このように摺動した後に接触される相手接続部３と接点部９との表面には、酸化膜が形成されており、この酸化膜は導電性が悪く、相手接続部３と接点部９との接触抵抗を増大させてしまう。
【００３０】
このため、相手接続部３を電気接続部５内に挿入したときに、相手接続部３と接点部９とを摺動させることにより、表面に形成された酸化膜を破壊し、互いの接触面を新生面として接触させることで、相手接続部３と接点部９との接触抵抗の増大を抑制することができる。
【００３１】
なお、酸化膜を破壊する構成としては、弾性片７の付勢力を強化したり、相手接続部３や接点部９の表面に酸化膜を削る凹凸部などを設けてもよい。
【００３２】
しかしながら、相手接続部３と接点部９との摺動によって酸化膜を破壊する構成では、酸化膜の他に、相手接続部３と接点部９との表面に形成されためっきも削ってしまい、母材が露出してしまう可能性があった。
【００３３】
そこで、接点部９は、弾性片７に基端側から自由端側に沿って複数形成され、複数の接点部９の表面には、潤滑剤が塗布されている。
【００３４】
接点部９は、上述したように、弾性片７の自由端側に弾性片７の表面から電気接続部５の上壁（相手接続部３）に向けて断面半円状に突設され、弾性片７の基端側から自由端側に沿って複数（ここでは３つ）配置されている。
【００３５】
この複数の接点部９は、弾性片７の基端側に位置する接点部９が弾性片７の自由端側に位置する接点部９より弾性片７の表面から相手接続部３に向けた高さが高く設定されている。
【００３６】
このように複数の接点部９の高さを設定することにより、電気接続部５内に相手接続部３を挿入すると、弾性片７の最も基端側に位置する接点部９ａが相手接続部３と摺動し、相手接続部３が完全に挿入されると、弾性片７の付勢力によって弾性片７の最も基端側に位置する接点部９ａが相手接続部３に接触される。
【００３７】
この相手接続部３と弾性片７の最も基端側に位置する接点部９ａとの摺動と接触を繰り返し行い、弾性片７の最も基端側に位置する接点部９ａの表面が削られたとする。
【００３８】
この場合には、弾性片７の最も基端側に位置する接点部９ａより弾性片７の自由端側に位置する接点部９ｂが相手接続部３と摺動し、弾性片７の付勢力によって相手接続部３と接触し、この接点部９ｂの表面が削られた場合、この接点部９ｂより弾性片７の自由端側に位置する接点部９ｃが相手接続部３と摺動し、弾性片７の付勢力によって相手接続部３と接触する。
【００３９】
このように、順次、相手接続部３に対して摺動と接触を行う複数の接点部９の表面には、潤滑剤が塗布されており、相手接続部３の摺動によって表面に形成されためっきが削られることを抑制している。
【００４０】
このような複数の接点部９の表面に潤滑剤を塗布することにより、例えば、接点部９ａに塗布された潤滑剤が相手接続部３との摺動と接触によって除去されても、接点部９ｂに塗布された潤滑剤を用いることができ、潤滑剤としての効果を長く保持することができる。
【００４１】
このような接続端子１では、接点部９が、弾性片７に基端側から自由端側に沿って複数形成され、複数の接点部９の表面に、潤滑剤が塗布されているので、相手接続部３と１つの接点部９との摺動により表面に塗布された潤滑剤が除去されても、潤滑剤が塗布された他の接点部９と相手接続部３とを接触させることができる。
【００４２】
従って、このような接続端子１では、1つの接点部９に塗布された潤滑剤が除去されても、潤滑剤が塗布された他の接点部９と相手接続部３とを接触させることができるので、潤滑剤としての効果を長く保持することができ、接点部９の耐久性を向上することができる。
【００４３】
また、複数の接点部９は、弾性片７の基端側に位置する接点部９が弾性片７の自由端側に位置する接点部９より弾性片７の表面から相手接続部３に向けた高さが高く設定されているので、弾性片７の基端側に位置する接点部９から、順次、相手接続部３と摺動させることができ、複数の接点部９の表面に塗布された潤滑剤を効率よく使用することができる。
【００４４】
なお、本発明の実施の形態に係る接続端子では、複数の接点部が弾性片に３つ設けられているが、これに限らず、複数の接点部を３つ以上、或いは２つ以上としてもよい。
【００４５】
また、複数の接点部は、弾性片の自由端側から基端側に向けて、順次、高くなるように設定されているが、これに限らず、例えば、複数の接点部の配置位置を変更する、複数の接点部の材質を変更するなど、相手接続部との摺動と接触のタイミングを異ならせるものであれば、複数の接点部はどのようなものであってもよい。
【符号の説明】
【００４６】
１…接続端子
３…相手接続部
５…電気接続部
７…弾性片
９…接点部
【図１】
2017157415.tif 000003
【図２】
2017157415.tif 000004